(57)【特許請求の範囲】
【請求項１】
複数のユーザの端末とネットワークを介して接続されるオークションシステムにおいて、
特定のユーザ向けの運営サイトに加入している特定ユーザの端末からの入札および出品を受け付ける特定ユーザ向けオークションインターフェース画面を記述し前記ネットワーク上の第１のアドレスで閲覧されるファイルと、
該特定ユーザ向けオークションインターフェース画面で入力される出品物情報を有する出品入力データ及び入札入力データが登録されるオークションデータベースと、
さらに前記特定のユーザ向けの運営サイトとは別のサイトのユーザの端末からの入札および出品を受け付ける前記別のサイトの別のオークションインターフェース画面を記述し前記ネットワーク上の第２のアドレスで閲覧されるファイルとを有し、
当該別のオークションインターフェース画面での前記出品入力データ及び入札入力データも該オークションデータベースに登録され、
前記オークションデータベースには、前記出品入力データと入札入力データに加えていずれのサイトのオークションインターフェース画面を経由して出品されたかを示す出品サイトデータも登録され、
前記オークションデータベースに登録された前記出品入力データと入札入力データに基づいて、前記特定ユーザ向けオークションインターフェース画面と前記別のオークションインターフェース画面を記述したファイルに、前記出品物情報を表示する出品情報ページ画面を記述したファイルを作成し、いずれか一方のオークションインターフェース画面からの前記出品入力データ及び入札入力データは、前記オークションデータベースを介して他方のオークションインターフェース画面に反映されることを特徴とするネットワークを用いたオークションシステム。
【請求項２】
前記入力される出品入力データは、さらに出品物カテゴリーを有し、
前記特定ユーザ向けオークションインターフェース画面で入力される前記出品物のカテゴリ分類は、前記別のオークションインターフェース画面で入力される前記出品物のカテゴリ分類に従ったものであることを特徴とする請求項１に記載のネットワークを用いたオークションシステム。
【請求項３】
複数のユーザの端末とネットワークを介して接続されるオークションシステムにおいて、
特定のユーザ向けの運営サイトに加入している特定ユーザの端末からの入札および出品を受け付ける特定ユーザ向けオークションインターフェース画面を記述し前記ネットワーク上の第１のアドレスで閲覧されるファイルと、
該特定ユーザ向けオークションインターフェース画面で入力される出品物情報と出品物のカテゴリとを有する出品入力データ及び入札入力データが登録されるオークションデータベースと、
さらに前記特定のユーザ向けの運営サイトとは別のサイトのユーザの端末からの入札および出品を受け付ける前記別のサイトの別のオークションインターフェース画面を記述し前記ネットワーク上の第２のアドレスで閲覧されるファイルとを有し、
当該別のオークションインターフェース画面での前記出品入力データ及び入札入力データも該オークションデータベースに登録され、
前記特定ユーザ向けオークションインターフェース画面で入力される前記出品物のカテゴリ分類は、前記別のオークションインターフェース画面で入力される前記出品物のカテゴリ分類に従ったものであり、
前記オークションデータベースに登録された前記出品入力データと入札入力データに基づいて、前記特定ユーザ向けオークションインターフェース画面と前記別のオークションインターフェース画面を記述したファイルに、前記出品物情報を表示する出品情報ページ画面を記述したファイルを作成し、いずれか一方のオークションインターフェース画面からの前記出品入力データ及び入札入力データは、前記オークションデータベースを介して他方のオークションインターフェース画面に反映されることを特徴とするネットワークを用いたオークションシステム。
【請求項４】
前記オークションデータベースに蓄積されるデータには、前記特定のユーザ向けの運営サイトのみでの入札を許可するか、または他のサイトからの入札も許可するか否かを示す許可情報が付加されていることを特徴とする請求項１乃至３のいずれかに記載のネットワークを用いたオークションシステム。
【請求項５】
前記特定ユーザ向けオークションインターフェース画面を記述したファイルは、前記別のオークションのためのサイトが登録されたオークションサーバに登録されていることを特徴とする請求項１乃至３のいずれかに記載のネットワークを用いたオークションシステム。
【請求項６】
前記特定ユーザ向けの運営サイトが登録されている特定サイトサーバ内に登録されたＨＴＭＬファイルであって、当該運営サイトを構成するＨＴＭＬファイル内に、前記特定ユーザ向けオークションインターフェース画面を記述したファイルの前記第１のアドレスがリンク先タグとして記述されていることを特徴とする請求項５記載のオークションシステム。
【請求項７】
複数のユーザの端末とネットワークを介して接続されるオークションサーバを有するオークションシステムであって、特定のユーザ向けの運営サイトに加入している特定ユーザの端末からの入札および出品を受け付ける特定ユーザ向けオークションインターフェース画面を記述し前記ネットワーク上の第１のアドレスで閲覧されるファイルと、前記特定のユーザ向けの運営サイトとは別のオークションサイトのユーザの端末からの入札および出品を受け付ける別のオークションインターフェース画面を記述し前記ネットワーク上の第２のアドレスで閲覧されるファイルと、前記特定ユーザ向けオークションインターフェース画面と前記別のオークションインターフェース画面とで入力された出品及び入札入力データが登録されるオークションデータベースとを有するオークションシステムを利用したオークションの方法において、
前記オークションサーバが、前記特定ユーザ向けサイトに加入している特定ユーザの端末での前記特定ユーザ向けオークションインターフェース画面で入力される出品物情報を有する出品入力データ及び入札入力データを前記オークションデータベースに登録する工程と、
前記オークションサーバが、前記別のオークションサイトに加入しているユーザの端末での前記別のオークションインターフェース画面で入力される前記出品物情報を有する出品入力データ及び入札入力データを前記オークションデータベースに登録する工程と、
前記オークションサーバが、前記オークションデータベースに、前記出品入力データと入札入力データに加えていずれのサイトのオークションインターフェース画面を経由して出品されたかを示す出品サイトデータを登録する工程と、
前記オークションサーバが、前記オークションデータベースに登録された前記出品入力データと入札入力データに基づいて、前記特定ユーザ向けオークションインターフェース画面と前記別のオークションインターフェース画面を記述したファイルに、前記出品物情報を表示する出品情報ページ画面を記述したファイルを作成し、いずれか一方のオークションインターフェース画面からの前記出品入力データ及び入札入力データを、前記オークションデータベースを介して他方のオークションインターフェース画面に反映する工程とを有することを特徴とするネットワークを利用したオークションの方法。
【請求項８】
前記入力される出品入力データは、さらに出品物カテゴリーを有し、
前記特定ユーザ向けオークションインターフェース画面で入力される前記出品物のカテゴリ分類は、前記別のオークションインターフェース画面で入力される前記出品物のカテゴリ分類に従ったものであることを特徴とする請求項７に記載のネットワークを利用したオークションの方法。
【請求項９】
複数のユーザの端末とネットワークを介して接続されるオークションサーバを有するオークションシステムであって、特定のユーザ向けの運営サイトに加入している特定ユーザの端末からの入札および出品を受け付ける特定ユーザ向けオークションインターフェース画面を記述し前記ネットワーク上の第１のアドレスで閲覧されるファイルと、前記特定のユーザ向けの運営サイトとは別のオークションサイトのユーザの端末からの入札および出品を受け付ける別のオークションインターフェース画面を記述し前記ネットワーク上の第２のアドレスで閲覧されるファイルと、前記特定ユーザ向けオークションインターフェース画面と前記別のオークションインターフェース画面とで入力された出品及び入札入力データが登録されるオークションデータベースとを有するオークションシステムを利用したオークションの方法において、
前記オークションサーバが、前記特定ユーザ向けサイトに加入している特定ユーザの端末での前記特定ユーザ向けオークションインターフェース画面で入力される出品物情報と出品物カテゴリとを有する出品入力データ及び入札入力データを前記オークションデータベースに登録する工程と、
前記オークションサーバが、前記別のオークションサイトに加入しているユーザの端末での前記別のオークションインターフェース画面で入力される前記出品物情報と前記出品物カテゴリとを有する出品入力データ及び入札入力データを前記オークションデータベースに登録する工程とを有し、
前記特定ユーザ向けオークションインターフェース画面で入力される前記出品物のカテゴリ分類は、前記別のオークションインターフェース画面で入力される前記出品物のカテゴリ分類に従ったものであり、
前記オークションサーバが、前記オークションデータベースに登録された前記出品入力データと入札入力データに基づいて、前記特定ユーザ向けオークションインターフェース画面と前記別のオークションインターフェース画面を記述したファイルに、前記出品物情報を表示する出品情報ページ画面を記述したファイルを作成し、いずれか一方のオークションインターフェース画面からの前記出品入力データ及び入札入力データを、前記オークションデータベースを介して他方のオークションインターフェース画面に反映する工程をさらに有することを特徴とするネットワークを利用したオークションの方法。
【請求項１０】
前記オークションデータベースに蓄積されるデータには、前記特定のユーザ向けの運営サイトのみでの入札を許可するか、または前記他のオークションサイトからの入札も許可するか否かを示す許可情報が付加され、
前記オークションサーバが、前記許可情報が許可しない場合は、前記別のオークションサイトの別のオークションインターフェース画面でアイテムの表示を行わず、前記許可情報が許可する場合は、前記別のオークションサイトの別のオークションインターフェース画面でアイテムを表示し、入札を受け付けることを特徴とする請求項７乃至９のいずれかに記載のネットワークを利用したオークション方法。
【請求項１１】
更に、前記特定ユーザ向けサイトに、前記特定ユーザ向けオークションインターフェース画面のリンクが形成され、
前記オークションサーバが、前記特定ユーザ向けサイトから前記リンクを介してのアクセス要求に応答して、前記特定ユーザ向けオークションインターフェース画面を表示する工程を有することを特徴とする請求項７乃至９のいずれかに記載のネットワークを利用したオークション方法。
【発明の詳細な説明】
【０００１】
【発明の属する技術分野】
本発明は、ネットワークを介したオークションシステム及びその方法、特にインターネット上におけるオークションシステム及びその方法に適用して有効な技術に関する。
【０００２】
【従来の技術】
商品の個人間売買をサポートする仕組みとして、インターネット上でのオークション専門サイトが注目されている。このようなオークション専門サイトでは、種々のカテゴリ別に商品群が分類分けされており、オークション期間や現在値などが表示されて出品や入札が可能となっている。しかし、オークション専門サイトそのものの認知度がまだ低く、更にオークション専門サイトにアクセスできたとしても、膨大なオークション対象の商品群の中からユーザが希望する特定のカテゴリの商品（出品物）を見つけ出すことは困難であった。
【０００３】
一方、インターネットでは、営利・非営利を問わず、たとえば車でも特定の車種のみを話題にするというような特定のテーマのみを扱うサイトが数多く存在している。インターネットユーザは自分の好みに適したテーマのサイトに会員として加入する場合が多い。このような特定サイトでは、共通の話題を中心に、特定の好みの仲間同士が集まってくるため、この種の特定サイトでオークション機能を持たせれば特定ユーザの希望に沿った商品群を構成でき、活発なオークションの利用が予想される。
【０００４】
【発明が解決しようとする課題】
しかし、このような特定テーマのサイトは、サイト運営者が個人あるいは個人事業に近い場合が多く、運営・管理が難しいオークション機能を自己のサイトに付加することは容易ではなかった。
【０００５】
本発明は、以上のような現状に鑑みてなされたものであり、特定テーマのサイトに対してオークション機能を容易に付加するとともに、この特定テーマのオークション機能を一般オークション機能と連携（リンク）させることにより、システム全体のオークション機能を活性化させることのできる技術を提供することを技術的課題とする。
【０００６】
【課題を解決するための手段】
本発明は、前記課題を解決するために、以下のような手段を採用した。
【０００７】
すなわち、特定のユーザ向けの運営サイトに加入している特定ユーザからの入札および出品を受け付ける特定ユーザ向けインターフェース画面を用意して、このインターフェース画面の入力および出力データはネットワークを経由して接続されたオークションデータベースと連携するようにし、該オークションデータベースはさらに別のサイトのオークションのためのインターフェース画面の入力および出力データとネットワークを介して連携させておき、いずれか一方のインターフェース画面からの入力または出力データを、前記オークションデータベースを介して他方のインターフェース画面に反映させるようにしたものである。
【０００８】
ここで、特定のユーザ向けの運営サイトとは、たとえば、車やコンピュータなどの特定機種を中心に情報交換をしているサイト（ホームページ）を意味している。このようなサイトにオークションのための出品および入札が行えるインターフェース画面を用意しておき、このインターフェース画面を通じて行われた出品および入札はオークションデータベースに登録される。そして、このオークションデータベースに登録された出品および入札のデータは別のオークションサイトのインターフェース画面と連携（リンク）されるようにした。
【０００９】
これにより、特定の商品（たとえば車の特定車種）の出品・入札の情報は前記特定ユーザ向けの運営サイトのインターフェース画面から閲覧できるとともに、別のオークション専門サイトの「車」として分類分けされたインターフェース画面からも閲覧できる。これにより、特定車種の出品情報を探しているユーザに対しても、「車」という大きなカテゴリで出品情報を閲覧しているユーザに対しても、別々のサイト経由でその出品・入札情報を提供することができ、オークションの活性化を図ることができる。
【００１０】
【発明の実施の形態】
以下、図面に基づいて、本発明の実施の形態を説明する。
【００１１】
図１は、本発明の実施形態を説明するためのネットワーク構成図である。同図において、１は一般サイト運営者が主催するサーバであり、図２に示される通り、特定のテーマのサイト６のインターフェース画面が登録されている。ここで、サイトとはＵＲＬ（Ｕｎｉｆｏｒｍ  Ｒｅｓｏｕｒｃｅ  Ｌｏｃａｔｏｒ）と呼ばれるアドレスで特定されるＷＷＷ（Ｗｏｒｌｄ  Ｗｉｄｅ  Ｗｅｂ）方式で閲覧可能なインターフェース画面を意味する。具体的には前記ＵＲＬで特定されるアドレスにＨＴＭＬ（Ｈｙｐｅｒ  Ｔｅｘｔ  Ｍａｒｋ−ｕｐ  Ｌａｎｇｕａｇｅ）形式で記述されたファイルを登録することにより、閲覧可能となっている。
【００１２】
３はネットワークであり、ここではＴＣＰ／ＩＰ方式によるデータ転送技術を利用した、いわゆるインターネットを意味する。このネットワーク３には多数のユーザ端末４ａ，４ｂ，５ａ，５ｂが接続されている。これらのユーザ端末はインターネットに対して企業内ＬＡＮ等を介して常時接続、または電話回線を介してダイヤルアップ形式で接続されている。これらのユーザ端末にはインターネット接続プログラムと、ブラウザと呼ばれるＷＷＷサーバを閲覧可能なプログラム（たとえば、マイクロソフト社のインターネット・エクスプローラやネットスケープ社のネットスケープ）がインストールされている。
【００１３】
前記ネットワーク３には、前述のサイト運営者サーバ１とともに、オークション専門サーバ２が接続されており、ユーザはユーザ端末よりいずれのサーバも閲覧可能となっているが、サイト運営者サーバ１の中には、会員制で特定のユーザのみにしか閲覧を許可していないサイトが存在していてもよい。
【００１４】
図２は、特定テーマサイト６とオークションサイト１１との関係を示す機能ブロック図である。同図において、特定テーマサイト６は、たとえば特定テーマとしてカメラの話題を中心に扱うサイトであり、これに参加する特定ユーザ７ａ，７ｂ，７ｃはカメラに興味のあるユーザであり、ユーザ端末４ａ，４ｂ等を通じて閲覧するようになっている。
【００１５】
当該特定テーマサイト６は、具体的にはＨＴＭＬで記述されたソースリストがサイト運営者サーバ１のＵＲＬとして登録されることによって実現されている。そして、この特定テーマサイト６はオークション機能を有しており、当該オークション機能は、特定テーマオークションインターフェース画面８として用意されている。この特定テーマオークションインターフェース画面８は、前記特定テーマサイト６からリンク（連携）されており、特定ユーザ７ａ，７ｂ，７ｃからみて特定テーマサイト６の一部として認識できるようになっている。しかし、この特定テーマオークションインターフェース画面８のＵＲＬは、かならずしもサイト運営者サーバ１に登録されている必要はなく、オークションサーバ２に登録されていてもよい。すなわち、特定テーマサイト６のオークション機能として特定ユーザ７ａ，７ｂ，７ｃから認識されればそれでよく、特定テーマオークションインターフェース画面８の具体的なサーバの所在は、特定ユーザ７ａ，７ｂ，７ｃにとって問題ではないのである。従って、特定テーマオークションインターフェース画面８は、サイト運営者サーバ１内に登録されても良いし、オークションサーバ２に登録されても良い。いずれの場合も、特定テーマオークションインターフェース画面８が、特定テーマサイト６からリンクを張られて、特定ユーザからアクセス可能になっている。
【００１６】
このようなリンク（連携）は、具体的には特定テーマサイト６を構成するＨＴＭＬファイル中に、オークションサーバ２に登録される特定テーマオークションインターフェース画面８のＵＲＬを連携先のタグとして記述することで実現できる。即ち、インターネットのハイパーリング機能を利用することにより実現できる。
【００１７】
オークションサイト１１は、オークションサーバ２に設けられており、前述のカメラに限定されることなく一般の商品を網羅するオークション専門サイトとして機能している。このオークションサイト１１は、一般ユーザ１２ａ．１２ｂ．１２ｃがユーザ端末５ａ，５ｂ等からインターネット３経由で閲覧できるようになっている。
【００１８】
このオークションサイト１１には、テーマ別のオークションインターフェース画面１３が用意されており、前記オークションサイト１１とリンク（連携）されている。オークションサーバ２には、構内ＬＡＮなどのネットワークを介して両インターフェース画面８，１３とリンクされたオークションデータベース１０が設けられている。このオークションデータベース１０には、図３に示すようなオークションデータが登録されている。このオークションデータは、どこのサイトを経由して出品された商品か（出品サイト３１）、当該商品に関する入札を特定テーマオークションインターフェース画面８を通じて入札した特定ユーザ７ａ，７ｂ，７ｃだけに公開するかあるいは一般オークションサイト１１を通じて入札した一般ユーザ１２ａ，１２ｂ，１２ｃにも許可するか（オープンＯＲクローズ設定３２）などのデータ領域が設けられている。
【００１９】
また、カテゴリ３３、タイトル３４、キーワード３５、商品状態３６などの出品者が入力した情報も登録されている。さらに、このオークションデータには、当該出品物に対するオークションが開始されている場合、その現在価格４１、入札数４２および現在権利者４３等も登録されている。
【００２０】
次に、特定テーマオークションインターフェース画面８を通じて特定ユーザ（たとえば７ａ）がオークションへの出品を行う場合の手順を説明する。
【００２１】
まず出品希望の特定ユーザ７ａは、サイト運営者サーバ１の特定テーマサイト６を通じて特定テーマオークションインターフェース画面８を自身のユーザ端末４ａに表示させる。ここで、図４に示すような出品登録ページが表示されることになり、自身（特定ユーザ７ａ）のユーザＩＤ（またはメールアドレス）、パスワード等を入力した後、出品物のタイトルを入力する。このタイトルとはたとえば「ＯＯ社のカメラＸＸ−ＸＸＸＸ  １９９８年製」というように入力することができる。
【００２２】
次に、出品物のカテゴリを入力する。このカテゴリとは、オークションサイト１１のカテゴリ分類にしたがったもので、「身の回り品」→「光学機械」→「カメラ」というように大分類から小分類に階層的に分類されている。このカテゴリの選択は図４に示すように、プルダウン形式のメニューによって選択できるようになっている。
【００２３】
キーワードは、出品物に関するキーワードであり、たとえば「カメラ」、「○○社」、「交換レンズ付き」などを登録可能である。商品状態の入力エリアは、「新品同様」、「良好」、「普通」、「キズあり」、「動作不能」などに分かれており、これもプルダウンメニューにより選択可能である。
【００２４】
商品説明入力エリアは、出品者が自由に記述することができ、商品のＰＲや商品の補足説明を記述することができる。写真貼付エリアは、出品物の写真画像をＧＩＦ，ＢＭＰまたはＪＰＥＧ形式で用意している場合に、当該ファイルのＵＲＬを指定できるようになっている。
【００２５】
オークション形式入力エリアは、ノーマル、ダッチ等のオークション形式をプルダウンメニューで選択できるようになっている。さらに、出品者は開始価格と出品個数を設定するようになっている。
【００２６】
また、本実施形態における特徴として、当該出品を他のオークションサイト（たとえばオークションサイト１１）でも公表するか否か（オープン／クローズ）を選択できるようになっている。
【００２７】
このように特定テーマオークションインターフェース画面８の出品登録ページで入力されたデータは、オークションデータベース１０に図３で説明したような形式で登録される。
【００２８】
オークションデータベース１０では、出品者（特定ユーザ７ａ）が入力したオークションデータ（図３の３１〜３６）を基にオークション開始時に使用される現在価格４１、入札数４２および現在権利者４３等のデータを付加する。
【００２９】
前記オークションデータベース１０に登録された情報は、特定テーマオークションインターフェース画面８を通じて、特定テーマサイト６に参加している他の特定ユーザ７ｂ，７ｃが閲覧することができる。
【００３０】
このとき、特定テーマオークションインターフェース画面８に表示される出品情報ページは図５に示す通りである。この出品情報ページはオークションデータベース１０に格納された前記オークションデータにリンクされており、商品名、現在価格、入札数等が表示される。
【００３１】
特定ユーザ（たとえば７ｂ）は、図５に示された出品情報を参照して、入札を希望する場合には、同図の下方に表示されている入札受付画面より自分のＩＤおよびパスワードなどを入力し入札に参加する。このようにして参加した入札希望者（特定ユーザ７ｂ）のデータはオークションデータベース１０に直ちに反映されて、当該データベースが更新される。
【００３２】
このように、特定テーマサイト６のオークション機能は、オークションを専門にしているオークションサイト１１のオークションサーバ２で実現されている。しかし、特定ユーザ７ａ，７ｂ，７ｃには、特定テーマサイト６のオークション機能がオークションサーバ２で実現されていることを意識させることなく、特定テーマサイト６内でのオークションとして利用することができる。また、特定テーマサイト６の運営者としては、複雑なオークション機能を自身で構築するとこなく、ノウハウや技術の蓄積のあるオークション専門のサーバ運営業者によるインターフェース画面およびオークションデータベースを利用してオークションを実現できるため、オークションのためのメンテナンスに煩わされることがない。
【００３３】
一方、出品者（特定ユーザ７ａ）は、当該出品を自身が所属している特定テーマサイト６でのオークション（特定テーマオークションインターフェース画面８を通じたオークション）に限定するか否かを出品登録ページ（図４）で選択できるようになっている。ここで「クローズ」を選択した場合には、当該出品は、特定テーマサイト６の特定テーマオークションインターフェース画面８を通じてしか公表されず、この場合には当該特定テーマサイト６に参加している特定ユーザ７ｂ，７ｃしかその出品情報（図５）を閲覧することはできない。
【００３４】
一方、図４の出品登録ページで「オープン」を選択した場合には、当該出品情報は、オークションデータベース１０を通じてオークションサイト１１のテーマ別オークションインターフェース画面１２よりリンクが許可されるため、このオークションサイト１１を閲覧している一般ユーザ１２ａ，１２ｂ，１２ｃも当該出品物のオークションの入札に参加することができる。このとき、一般ユーザ１２ａ，１２ｂ，１２ｃに提供されるテーマ別オークションインターフェース画面１３も図５に示したものと同様となる。
【００３５】
上記実施例では、ユーザが出品してそれに対して入札するオークションについて説明した。しかし、本発明はそれに限定されず、例えば、ユーザの購入申し出に対してアイテムを販売する者が入札する逆オークションにも適用することができる。
【００３６】
以上、本発明の保護範囲は、上記の実施の形態例に限定されるものではなく、特許請求の範囲に記載された発明とその均等物にまで及ぶものである。
【００３７】
【発明の効果】
以上、本発明によれば、特定テーマのサイトに対してオークション機能を容易に付加するとともに、この特定テーマのオークション機能を一般オークション機能と連携させることにより、システム全体のオークション機能を活性化させることができる。
【図面の簡単な説明】
【図１】本発明の実施形態におけるネットワーク構成図である。
【図２】本発明の実施形態における特定テーマサイトとオークションサイトとの連携を示す機能ブロック図である。
【図３】本発明の実施形態におけるオークションデータベースのデータ構造を示す図である。
【図４】本発明の実施形態における出品登録ページの画面構成を示す説明図である。
【図５】本発明の実施形態における出品情報ページの画面構成を示す説明図である。
【符号の説明】
１          サイト運営者サーバ
２          オークションサーバ
３          ネットワーク
４ａ，４ｂ  ユーザ端末
５ａ，５ｂ  ユーザ端末
７ａ，７ｂ，８ｃ  特定ユーザ
８          特定テーマオークションインターフェース画面
１０        オークションデータベース
１１        オークションサイト
１２ａ，１２ｂ，１２ｃ  一般ユーザ
１３        テーマ別オークションインターフェース画面
【図１】
0004445654.tif 000002
【図２】
0004445654.tif 000003
【図３】
0004445654.tif 000004
【図４】
0004445654.tif 000005
【図５】
0004445654.tif 000006